(57)【特許請求の範囲】
【請求項１】
通話の音声を所定の期間に区切って逐次録音する録音手段と、
前記所定の期間の録音内容から所定のキーワードの存在の有無を分析する音声分析手段と、
かけ直し指定を受付けるガイダンスを表示し、前記通話の音声に前記所定のキーワードが含まれていた場合に、前記ガイダンスとともに該通話の接続相手に関する情報を表示し、利用者からのかけ直し指定を受付ける受付手段と、
前記接続相手を前記かけ直し対象として、かけ直し対象を示す情報を表示するかけ直し対象表示手段と、
を備えたことを特徴とする通信端末。
【請求項２】
通話の音声を所定の期間に区切って逐次録音する録音手段と、
前記所定の期間の録音内容から所定のキーワードの存在の有無を分析する音声分析手段と、
前記音声分析手段において前記所定のキーワードが検出された場合、かけ直し対象とし、前記かけ直し対象を示す情報を表示するかけ直し対象表示手段と、
を備えたことを特徴とする通信端末。
【発明の詳細な説明】
【技術分野】
【０００１】
本発明は、通信端末に関する。
【背景技術】
【０００２】
携帯電話等の通信端末で通話を開始したとき、後でかけ直す旨を約束し、通話を終了する場合がある。かけ直し忘れやかけ直しの重複を防ぐために、かけ直しを行ったという情報を電話番等と同時に表示して、かけ直しを行った呼を確認することができるようにした技術は、例えば下記の特許文献１等により知られている。
【０００３】
また、着信があった場合に、発信者の電話番号や電子メールアドレス等、所望の連絡先のアイコンを表示し、該所望の連絡先のアイコンを選択可能にして、所望の連絡先へ発信することができるようにした技術は、下記の特許文献２により知られている。
【０００４】
また、図１２に通話内容をテキスト化して表示する従来の携帯電話の構成例を示す。図１２において、携帯電話（Ａ）１２−１０は、電話帳記録部１２−１１、音声録音部１２−１２、及び通話履歴・テキスト文書／保存・表示部１２−１３を備える。携帯電話（Ａ）１２−１０は、携帯電話（Ｂ）１２−２０からの音声着信に対して、着信応答を送信することにより、携帯電話（Ｂ）１２−２０と通話状態となる。
【０００５】
携帯電話（Ａ）１２−１０は、電話帳記録部１２−１１を参照し、携帯電話（Ｂ）が録音対象となっている場合、通話内容を音声録音部１２−１２に録音する。その後、通話終了時に携帯電話（Ａ）１２−１０と携帯電話（Ｂ）１２−２０とで終話信号が送受される。音声録音部１２−１２に録音された通話内容を音声認識し、テキスト化して保存し表示し、過去の通話内容を把握可能にする通信端末は、例えば下記の特許文献３等により知られている。
【先行技術文献】
【特許文献】
【０００６】
【特許文献１】特開平０４−３４４７５６号公報
【特許文献２】特開２００３−２９８７２１号公報
【特許文献３】特開２００５−２１０４９７号公報
【発明の概要】
【発明が解決しようとする課題】
【０００７】
職場等において会議前等の多忙な時間に複数の着信があった場合等に、「あとで電話します。」などと返答して短い時間で通話を切断することが日常的に行われている。上述の従来の技術を用いて、電話帳記録部に登録されている携帯電話からの通話内容を全て録音することは可能である。
【０００８】
しかしながら、かけ直すと返答した通話の録音と通常の通話の録音とが複数混在した場合、かけ直すと返答した通話の記録が埋もれてしまい、電話をかけ直すことを忘れてしまうことがしばしば発生する。本発明は、通信端末において、かけ直すこととした呼の存在を表示可能にすることを目的とする。
【課題を解決するための手段】
【０００９】
上記課題を解決する一形態としての通信端末は、通話の音声を所定の期間に区切って逐次録音する録音手段と、前記所定の期間の録音内容から所定のキーワードの存在の有無を分析する音声分析手段と、かけ直し指定を受付けるガイダンスを表示し、前記通話の音声に前記所定のキーワードが含まれていた場合に、前記ガイダンスとともに該通話の接続相手に関する情報を表示し、利用者からのかけ直し指定を受付ける受付手段と、前記接続相手を前記かけ直し対象として、かけ直し対象を示す情報を表示するかけ直し対象表示手段と、を備えたものである。
【００１０】
また、通話の音声を所定の期間に区切って逐次録音する録音手段と、前記所定の期間の録音内容から所定のキーワードの存在の有無を分析する音声分析手段と、前記音声分析手段において前記所定のキーワードが検出された場合、かけ直し対象とし、前記かけ直し対象を示す情報を表示するかけ直し対象表示手段と、を備えたものである。
【発明の効果】
【００１１】
かけ直すことにした呼を通信端末に表示することができ、かけ直すことにした呼の接続先への発信をユーザに促すことができ、電話のかけ直しの失念を防ぐことができる。
【図面の簡単な説明】
【００１２】
【図１】通信端末の第１の実施形態の説明図である。
【図２】第１の実施形態の動作シーケンス例を示す図である。
【図３】第１の実施形態の動作シーケンス例を示す図である。
【図４】第１の実施形態の通信端末の機能ブロック構成例を示す図である。
【図５】通信端末のハードウェアブロックの構成例を示す図である。
【図６】携帯電話の画面に表示する「かけ直しボタン」の表示例を示す図である。
【図７】第２の実施形態の動作シーケンス例を示す図である。
【図８】かけ直し時の動作シーケンス例を示す図である。
【図９】かけ直し対象の接続先を特定する処理フロー例を示す図である。
【図１０】かけ直し呼の表示の処理フロー例を示す図である。
【図１１】通信端末の画面に表示するかけ直し呼の表示の具体例を示す図である。
【図１２】通話内容をテキスト化して表示する従来の携帯電話の構成例を示す図である。
【発明を実施するための形態】
【００１３】
携帯電話等の通信端末に、かけ直し対象とする接続相手を特定するかけ直し指定を受付ける受付手段と、かけ直し対象となる接続相手の存在を示す情報を表示手段に表示する表示制御手段とを追加する。この通信端末の第１の実施形態について図１を参照して説明する。
【００１４】
なお、本実施の形態における「かけ直し」は、着信した接続相手に発信することに限らず、自身が発信した相手に再度発信することや、単に利用者が後で発信するとして記録しておいた相手に発信することをも含むが、説明の便宜上、これらを包含する表現として「かけ直し」という文言を用いるものとする。
【００１５】
図１において、携帯電話（Ａ）１−１０は、かけ直し対象の呼を表示する機能を有する通信端末、携帯電話（Ｂ）１−２０は、かけ直し電話の接続相手の通信端末である。携帯電話（Ａ）１−１０には、通話音声を録音する音声録音部１−１１、かけ直し対象の通話を分析するかけ直し分析部１−１２、かけ直し対象の接続先の情報を格納したかけ直し一覧リスト１−１３の記憶部を備える。
【００１６】
携帯電話（Ａ）１−１０は、携帯電話（Ｂ）１−２０からの音声着信に対して、着信応答を送信することにより、携帯電話（Ｂ）１−２０と通話状態となる。音声録音部１−１１は、通話中の音声を録音する。かけ直し分析部１−１２は、録音された音声の中から「かけ直します」等の言葉が有るか否かを分析し、「かけ直します」等の言葉が有る場合、かけ直し一覧リスト１−１３に、当該通話の接続先である携帯電話（Ｂ）の電話番号等を登録する。
【００１７】
そして、携帯電話（Ａ）１−１０は、かけ直し一覧リストの格納情報を基に、かけ直し対象の呼の存在を、かけ直しアイコン１−１５等により表示画面１−１４に表示する。図１の例では、かけ直しアイコン１−１５に表示した数値１により、かけ直しを要する呼数が１であることを表している。
【００１８】
第１の実施形態の動作シーケンス例を図２に示す。携帯電話（Ａ）内には、かけ直しアイコン表示部１１、電話帳記録部１２、通話記録部１３、及び呼制御部１４を備える。まず、携帯電話（Ｂ）から携帯電話（Ａ）に着信が有り、携帯電話（Ａ）の呼制御部１４に携帯電話（Ｂ）の電話番号が通知される（２−１）。呼制御部１４は、電話帳記録部１２に、該携帯電話（Ｂ）の電話番号を通知する（２−２）。
【００１９】
該電話帳記録部１２は、通話先情報（携帯電話（Ｂ）の電話番号又はそのユーザの名称等）を表示する（２−３）。携帯電話（Ａ）でユーザが着信に応答すると、呼制御部１４は、携帯電話（Ｂ）に着信応答の信号を送信し（２−４）、着信応答をかけ直しアイコン表示部１１に通知する（２−５）。かけ直しアイコン表示部１１は、該着信応答の通知を受け取ると、通話記録依頼を通話記録部１３に対して行う（２−６）。
【００２０】
携帯電話（Ａ）の着信応答により通話が開始され（２−７）、通話記録部１３は、通話音声を録音する。通話記録部１３は、２面構成の記憶部を有し、第１面の記録部に該通話内容を記録し（２−８）、所定の時間例えば３０秒が経過したかどうかを監視し（２−９）、第１面の記録部に所定時間通話内容を記録する。
【００２１】
所定時間経過すると、第２面の記録部に通話内容を記録し（２−１０）、同様に所定時間例えば３０秒が経過したかどうかを監視し（２−１１）、第２面の記録部に所定時間通話内容を記録する。第２面の記録部に所定時間通話内容を記録し終わると、第１面の記録部に通話内容を所定時間記録し（２−８）、同様の動作を繰り返す。
【００２２】
ユーザが通話を終了すると、呼制御部１４から通話終了信号が携帯電話（Ｂ）に送信され（２−１２）、携帯電話（Ｂ）からの通話終了応答の信号が呼制御部１４で受信される（２−１３）。呼制御部１４は、通話終了応答の信号が受信されると、かけ直しアイコン表示部１１に通話終了を通知する（２−１４）。
【００２３】
かけ直しアイコン表示部１１は、呼制御部１４から通話終了を通知されると、通話記録部１３により記録された通話記録を分析する（図３の３−１）。該分析により、電話をかけ直す旨の言葉が検出されるか否かを判定する（３−２）。かけ直す旨の言葉が検出された場合、かけ直しアイコン表示部１１は、電話帳記録部１２に対して当該通話の通話先情報を参照する（３−３）。
【００２４】
電話帳記録部１２は、かけ直しアイコン表示部１１に、当該通話の通話先情報を通知し（３−４）、かけ直しアイコン表示部１１は、該通話先情報をかけ直し一覧リストに記録し（３−５）、かけ直しアイコンを表示する（３−６）。図３にかけ直し一覧リストの一例を示している。図３に示すように、かけ直し一覧リスト３−７は、接続先の電話番号、電話帳識別番号、着信日時、かけ直し日時等を記録する。かけ直し日時の欄には、かけ直しを行った日時を記録し、かけ直しを行う前は、空白又は未了を示す情報を記憶する。
【００２５】
なお、上述した実施の形態では、かけ直す旨の言葉が検出された場合に自動的にかけ直しアイコンを表示する例を説明したが、この表示に先立ち、当該かけ直しアイコンを表示するか否かを利用者に問い合わせるガイダンスを表示することも考えられる。例えば、かけ直す旨の言葉が検出された場合に、当該ガイダンスとしてかけ直しの指示を受け付けるボタン等を表示し、当該ボタンが押下された場合に当該かけ直しアイコンを表示するように構成してもよい。
【００２６】
図４に第１の実施形態の通信端末の機能ブロック構成例を示す。第１の実施形態の通信端末には、かけ直しアイコン表示部１１、電話帳記録部１２、通話記録部１３、呼制御部１４を備える。更に、通話記録部１３への通話音声の入力を制御するマイク制御部１５、通話記録部１３に記録され音声信号をテキストに変換する音声テキスト変換部１６、該テキスト変換された言葉から、かけ直す旨の言葉を抽出するかけ直しワード抽出部１７、かけ直し一覧リスト記憶部１８、発信対象指定受付部１９を備える。通信端末は、そのほか、携帯電話として機能するための無線制御部２０、入出力部２１、表示制御部２２を備える。
【００２７】
発信対象指定受付部１９は、所定の条件に基づいてかけ直し対象となる接続相手を特定する指示を受付ける処理部である。所定の条件には、次のものが含まれる。
・通話の音声にかけ直しを示唆するキーワードが含まれていた場合。
・通話中や当該通話の終話時に表示した発信対象指定アイコンによって、利用者からかけ直しの指示を受付けた場合。
・発信の後に表示した再発信対象指定アイコンによって、利用者からかけ直しの指示を受付けた場合。
・発信履歴や着信履歴を選択することによって、利用者からかけ直しの指示を受付けた場合。
【００２８】
図５に開示の通信端末のハードウェアブロックの構成例を示す。図５に示すように、該通信端末は、無線通信部５−１、表示部５−２、音声入出力部５−３、データを入出力する入出力部５−４、プロセッサ５−５、記憶部５−６を備える。記憶部５−６には、プログラム記憶部５−６１、データ記憶部５−６２、ランダムアクセスメモリ５−６３を備える。プログラム記憶部５−６１及びデータ記憶部５−６２は、不揮発性メモリであり、ランダムアクセスメモリ５−６３は揮発性メモリである。
【００２９】
かけ直しアイコンは、表示部５−２により表示され、通話音声は、音声入出力制御部５−３により制御され、記録される。かけ直し一覧リストは、データ記憶部５−６２に記憶され、上述のかけ直しアイコン表示部等によるかけ直し対象の呼の登録処理は、プログラム記憶部５−６１から各種のプログラムがプロセッサ５−５により読み出されて実行されることにより実施される。
【００３０】
次に第２の実施形態の通信端末について説明する。第２の実施形態は、かけ直し対象の接続先を特定する手段として、前述の音声認識による手段に代えて、「かけ直しボタン」等のガイダンスを表示し、当該「かけ直しボタン」の押下の検出により特定する形態としたものである。なお、ここで、「かけ直しボタン」の押下とは、通信端末の画面上に表示した仮想の「かけ直しボタン」が恰も押下されたように操作される所作を含むものとする。
【００３１】
図６に携帯電話の画面に表示する「かけ直しボタン」の表示例を示す。図６の（ａ）は、通話中に「かけ直し」のボタンを「終話」のボタンと共に表示する例を示している。図６の（ｂ）は、切断後に携帯電話の画面に「かけ直し」のボタンを表示する例を示している。
【００３２】
図７に第２の実施形態の動作シーケンス例を示す。まず、携帯電話（Ｂ）から携帯電話（Ａ）に着信が有り、携帯電話（Ａ）の呼制御部１４に携帯電話（Ｂ）の電話番号が通知される（７−１）。呼制御部１４は、電話帳記録部１２に、該携帯電話（Ｂ）の電話番号を通知する（７−２）。
【００３３】
該電話帳記録部１２は、通話先情報（携帯電話（Ｂ）の電話番号又はそのユーザの名称等）を表示する（７−３）。携帯電話（Ａ）でユーザが着信に応答すると、呼制御部１４は、携帯電話（Ｂ）に着信応答の信号を送信し（７−４）、着信応答をかけ直しアイコン表示部１１に通知する（７−５）。
【００３４】
携帯電話（Ａ）の着信応答により通話が開始され（７−６）、ユーザが通話を終了すると、携帯電話（Ｂ）と呼制御部１４との間で、通話終了信号と通話終了応答信号とが送受される（７−７，７−８）。呼制御部１４は、通話終了をユーザに通知し（７−９）、終了する。
【００３５】
一方、かけ直しアイコン表示部１１は、呼制御部１４から着信応答が通知されると、携帯電話（Ａ）の画面にかけ直しボタンを表示する（７−１０）。そして、該かけ直しボタンの押下が検出されたか否かを判定し（７−１１）、かけ直しボタンの押下が検出された場合、かけ直しアイコン表示部１１は、電話帳記録部１２に対して当該通話の通話先情報を参照する（７−１２）。
【００３６】
電話帳記録部１２は、かけ直しアイコン表示部１１に、当該通話の通話先情報を通知し（７−１３）、かけ直しアイコン表示部１１は、該通話先情報をかけ直し一覧リストに記録し（７−１４）、かけ直しアイコンを表示する（７−１５）。図７にかけ直し一覧リストの一例を示している。図７に示すように、かけ直し一覧リスト７−１６は、第１の実施形態と同様のものとすることができる。
【００３７】
図８にかけ直し時の動作シーケンス例を示す。かけ直しアイコン表示部１１は、かけ直しボタンを表示し（８−１）、かけ直し一覧リストを基に、かけ直しが済んでいない未かけ直し呼の一覧を通信端末の画面に表示する（８−２）。該未かけ直し呼の一覧の中から、かけ直し対象の接続先が選択され指定されると（８−３）、かけ直しアイコン表示部１１は、該かけ直し対象の接続先への発信要求を呼制御部１４に通知する。
【００３８】
呼制御部１４は、該発信要求を受け取ると、例えば携帯電話（Ｂ）の電話番号を接続先とする発信信号を送信する（８−５）。接続先の携帯電話（Ｂ）による発信応答が送信され、呼制御部１４で検出されると（８−６）、呼制御部１４は、該発信応答をかけ直しアイコン表示部１１に通知する。
【００３９】
携帯電話（Ｂ）の発信応答により、通話開始状態となる（８−７）。通話が終了すると、呼制御部１４と携帯電話（Ｂ）との間で、通話終了信号と通話終了応答信号とが送受され（８−８，８−９）、通話終了となる。一方、アイコン表示部１１は、呼制御部１４から発信応答が通知されると、通話が確立したと判定し（８−１０）、かけ直し一覧リストに、当該かけ直し呼のかけ直し日時を登録する（８−１１）。かけ直し一覧リストにかけ直し日時が登録されると、かけ直しアイコンに表示した未かけ直し呼の個数を１つ減算するとともに、かけ直し呼の選択時に画面に表示する未かけ直し呼の一覧から消去する。
【００４０】
図９に、かけ直し対象の接続先を特定する処理フロー例を示す。図９の（ａ）は、通話中にかけ直しボタンを表示する前述の第２の形態の処理例を示す。通話中にかけ直しボタンを表示し、該かけ直しボタン押下の有無を監視する（９−１，９−２）。該かけ直しボタン押下を検出した場合、通話先情報を参照し（９−３）、かけ直し一覧リストに当該通話の通話先を記録し（９−４）、かけ直しアイコンを表示する（９−５）。
【００４１】
図９の（ｂ）は、通話終了時にかけ直しボタンを表示する前述の第２の形態の処理例を示す。通話終了時にかけ直しボタンを表示し、該かけ直しボタン押下の有無を監視する（９−６，９−７）。該かけ直しボタン押下を検出した場合、通話先情報を参照し（９−８）、かけ直し一覧リストに当該通話の通話先を記録し（９−９）、かけ直しアイコンを表示する（９−１０）。
【００４２】
図９の（ｃ）は、通話音声からかけ直しの音声キーワードを検出する前述の第１の形態の処理例を示す。通話中に通話音声を録音し、かけ直す旨の音声キーワードが検出されるか否かを監視する（９−１１，９−１２）。該音声キーワードが検出された場合、通話先情報を参照し（９−１３）、かけ直し一覧リストに当該通話の通話先を記録し（９−１４）、かけ直しアイコンを表示する（９−１５）。なお、「かけ直す旨の音声キーワード」は、予め図示せぬデータベースに「かけ直す」「かけ直します」「連絡します」等の該当するキーワードを登録しておくものとする。
【００４３】
図９の（ｄ）は、発信履歴又は着信履歴の中からかけ直し対象の呼を指定する第３の実施形態の処理例を示す。通信端末の画面に発信履歴又は着信履歴を表示し、該発信履歴又は着信履歴の中から、かけ直し対象の呼として、ユーザにより選択され指定されるか否かを監視する（９−１６，９−１７）。かけ直し対象の呼が選択され指定されると、該呼の通話先情報を参照し（９−１８）、かけ直し一覧リストに当該通話の通話先を記録し（９−１９）、かけ直しアイコンを表示する（９−２０）。
【００４４】
図９の（ｅ）は、発信したが相手が不在だった場合に、再度かけることを忘れないように“かけ直し呼”を表示する実施形態の処理例を示す。発信中断時にかけ直しボタンを表示し、該かけ直しボタン押下の有無を監視する（９−２１，９−２２）。該かけ直しボタン押下を検出した場合、発信先情報を参照し（９−２３）、かけ直し一覧リストに当該通話の通話先を記録し（９−２４）、かけ直しアイコンを表示する（９−２５）。
【００４５】
図１０にかけ直し呼の表示の処理フロー例を示す。かけ直しアイコン表示部は、電話帳記録部に対してかけ直し対象の通話先情報を参照する（１０−１）。電話帳記録部に該通話先情報が登録されているか否かを判定し（１０−２）、登録されている場合、該電話帳記録部に登録されている表示用の情報、例えば接続相手の名前や画像等を表示し（１０−３）、該電話帳記録部に登録されている表示用の情報をかけ直し一覧リストに記録する（１０−４）。そして、該表示用の情報を含むかけ直しアイコンを表示する（１０−７）。
【００４６】
また、電話帳記録部に通話先情報が登録されていない場合、該通話先の電話番号を表示し、電話帳に未登録の旨を表示する（１０−５）。そして、該通話先の電話番号をかけ直し一覧リストに記録し（１０−６）。該通話先の電話番号を含むかけ直しアイコンを表示する（１０−７）。
【００４７】
図１１に開示の通信端末の画面に表示するかけ直し呼の表示の具体例を示す。図１１の（ａ）は、通信端末に発信履歴を表示し、ユーザが選択したかけ直し対象の発信を反転表示１１−１等により表示し、かけ直しボタン１１−２の押下の検出により、かけ直しの接続先の情報を入力する表示例である。この表示例は、前述の図９の（ｄ）に示したかけ直し対象の接続相手を特定する実施形態におけるものである。
【００４８】
図１１の（ｂ）は、かけ直しアイコンの表示例であり、かけ直し一覧リストを基に未かけ直し対象の呼数を、該かけ直しアイコン１１−３に表示する例を示している。図１１の（ｃ）及び（ｄ）は、前述の図１０で説明したかけ直し通話先の表示例を示している。図１１の（ｃ）は、電話帳記録部に登録されている通話先の名前の情報を、かけ直しアイコンと共に表示する例を示している。また、図１１の（ｄ）は、電話帳記録部に通話先情報が登録されていないため、かけ直しの通話先の電話番号をかけ直しアイコンと共に表示する例を示している。
【００４９】
利用者によってこれらのアイコンが操作されると、操作されたアイコンに対応する電話番号に発信される。そして、かけ直し一覧リストの当該電話番号に対応するかけ直し日時に発信した日付や時刻が設定されることにより、待受画面に表示されていたアイコンが消去される。
【００５０】
上述の動作シーケンス例では、着信側でのかけ直し呼の登録についての動作例について説明したが、発信側でも同様の機能により、かけ直し呼の登録を行うことが可能である。以上の実施例を含む実施形態に関し、更に以下の付記を開示する。
【００５１】
（付記１）
通話の音声を所定の期間に区切って逐次録音する録音手段と、
前記所定の期間の録音内容から所定のキーワードの存在の有無を分析する音声分析手段と、
かけ直し指定を受付けるガイダンスを表示し、前記通話の音声に前記所定のキーワードが含まれていた場合に、前記ガイダンスとともに該通話の接続相手に関する情報を表示し、利用者からのかけ直し指定を受付ける受付手段と、
前記接続相手を前記かけ直し対象として、かけ直し対象を示す情報を表示するかけ直し対象表示手段と、
を備えたことを特徴とする通信端末。
（付記２）
通話の音声を所定の期間に区切って逐次録音する録音手段と、前記所定の期間の録音内容から所定のキーワードの存在の有無を分析する音声分析手段と、
前記音声分析手段において前記所定のキーワードが検出された場合、かけ直し対象とし、前記かけ直し対象を示す情報を表示するかけ直し対象表示手段と、
を備えたことを特徴とする通信端末。
（付記３）
通信端末によって実行されるかけ直し呼の表示方法であって、
前記通信端末が、
かけ直し指定を受付けるガイダンスを表示し、利用者からのかけ直し指定を受付ける受付ステップと、
受付けた前記かけ直し指定に応じて、かけ直し対象を示す情報を表示するかけ直し対象表示ステップと、
を実行することを特徴とするかけ直し呼の表示方法。
（付記４）
通信端末によって実行されるかけ直し呼の表示方法であって、
前記通信端末が、
通話の音声から所定のキーワードを検出する検出ステップと、
前記検出ステップにおいて前記所定のキーワードが検出された場合、かけ直し対象を示す情報を表示するかけ直し対象表示ステップと、
を実行することを特徴とするかけ直し呼の表示方法。
（付記５）
通信端末に、
かけ直し指定を受付けるガイダンスを表示し、利用者からのかけ直し指定を受付ける受付ステップと、
受付けた前記かけ直し指定に応じて、かけ直し対象を示す情報を表示するかけ直し対象表示ステップと、
を実行させるためのプログラム。
（付記６）
通信端末に、
通話の音声から所定のキーワードを検出する検出ステップと、
前記検出ステップにおいて前記所定のキーワードが検出された場合、かけ直し対象を示す情報を表示するかけ直し対象表示ステップと、
を実行させるためのプログラム。
【符号の説明】
【００５２】
１−１０  携帯電話（Ａ）
１−１１  音声録音部
１−１２  かけ直し分析部
１−１３  かけ直し一覧リスト
１−１４  表示画面
１−１５  かけ直しアイコン
１−２０  携帯電話（Ｂ）
１１  かけ直しアイコン表示部
１２  電話帳記録部
１３  通話記録部
１４  呼制御部
１５  マイク制御部
１６  音声テキスト変換部
１７  かけ直しワード抽出部
１８  かけ直し一覧リスト記憶部
１９  発信対象指定受付部
２０  無線制御部
２１  入出力部
２２  表示制御部
【図１】
0005560890.tif 000002
【図２】
0005560890.tif 000003
【図３】
0005560890.tif 000004
【図４】
0005560890.tif 000005
【図５】
0005560890.tif 000006
【図６】
0005560890.tif 000007
【図７】
0005560890.tif 000008
【図８】
0005560890.tif 000009
【図９】
0005560890.tif 000010
【図１０】
0005560890.tif 000011
【図１１】
0005560890.tif 000012
【図１２】
0005560890.tif 000013